(57)【要約】負荷磁気心電図を作成するための磁気心拍記録装置に関する。磁気心電計（１）と非磁気構成部分からなる負荷ユニット（２）とを含む磁気心拍記録装置を提供し、磁気心電計（１）及び負荷ユニット（２）は、外部の磁場を遮蔽するための遮蔽室（４）の中に配置され、負荷ユニット（２）は、遮蔽室（４）の外部に配置されている、加圧ガスまたは加圧ガス混合物のための供給源（６）からの、加圧ガスまたは加圧ガス混合物で制動されている自転車エルゴメータであるかまたは該自転車エルゴメータを含む。【選択図】図１
2015502223.tif 000002
【特許請求の範囲】
【請求項１】
負荷磁気心電図を作成するための磁気心拍記録装置であって、
該磁気心拍記録装置は、磁気心電計（１）と非磁気構成部分からなる負荷ユニット（２）とを含み、磁気心電計（１）及び負荷ユニット（２）は、外部の磁場を遮蔽するための遮蔽室（４）の中に配置され、負荷ユニット（２）は、遮蔽室（４）の外部に配置されている加圧ガスまたは加圧ガス混合物のための供給源（６）からの、加圧ガスまたは加圧ガス混合物で制動されている自転車エルゴメータであるかまたは該自転車エルゴメータを含む
ことを特徴とする磁気心拍記録装置。
【請求項２】
上記加圧ガスまたは加圧ガス混合物は、加圧空気、窒素、酸素、ヘリウム、酸素またはそれらの混合物、好ましくは、加圧空気である
請求項１に記載の磁気心拍記録装置。
【請求項３】
負荷ユニット（２）は、非磁気材料からなり、伝動比率が少なくとも１：１０、好ましくは１：１０から１：２０まで、さらに好ましくは１：１０から１：１８まで、さらに好ましくは１：１０から１：１５まで、特に好ましくは１：１０から１：１３までである好ましくは少なくとも２段式の変速機（３８）を介して、手または足で作動させることにて回転させることができるフライホイール（１９）と、フライホイール（１９）の回転を制動するための、上記加圧ガスまたは加圧ガス混合物で作動させることができる制動ユニット（２０）とを含み、制動ユニット（２０）の制動力は、上記加圧ガスまたは加圧ガス混合物で調節できる
請求項１または２に記載の磁気心拍記録装置。
【請求項４】
負荷ユニット（２）の変速機（３８）は４つの軸（２５、３７、３６、３２）を含み、その軸（２５、３７、３６、３２）の第１及び第２軸（２５、３７）がそれぞれソリッド軸として、第３及び第４軸（３６、３２）がそれぞれ中空軸として形成されていて、第４軸（３２）が同軸に回転可能に第１軸（２５）に支持され、第３軸（３６）が同軸に回転可能に第２軸（３７）に支持されていて、フライホイール（１９）が、第４軸に固定され、軸（２５、３７、３６、３２）は、第１軸（２５）の回転運動が第１伝動比率で第２軸（３７）に、第２軸（３７）から第３軸（３６）に、第３軸（３６）から第２伝動比率で第４軸（３２）に伝達されるように係合されている
請求項３に記載の磁気心拍記録装置。
【請求項５】
第２軸（３７）と第３軸（３６）との間に自由回転連結部（３３）が配置されている
請求項４に記載の磁気心拍記録装置。
【請求項６】
変速機（３８）はベルト変速機である
請求項３ないし５のいずれかに記載の磁気心拍記録装置。
【請求項７】
第１軸（２５）上に第１ベルト車（２６）、第２軸（３７）上に第２ベルト車（２７）、第３軸（３６）上に第３ベルト車（２８）、第４軸（３２）上に第４ベルト車（２９）が配置されていて、第１と第２ベルト車（２６、２７）と、並びに、第３と第４ベルト車（２８、２９）とは、それぞれベルトで接続されている
請求項６に記載の磁気心拍記録装置。
【請求項８】
制動ユニット（２０）は空気圧シリンダ（２２）を含み、該空気圧シリンダ（２２）は、第４軸（３２）に固定されているブレーキディスク（２１）と係合され得る
請求項３ないし７のいずれかに記載の磁気心拍記録装置。
【請求項９】
負荷ユニット（２）は、非磁気構成部分からなる患者寝台（３）に備えられている
請求項１ないし８のいずれかに記載の磁気心拍記録装置。
【請求項１０】
負荷ユニット（２）は、非磁気導管（８）を介して、好ましくは遮蔽室（４）の中に配置されている圧力調節ユニット（５）に接続され、該圧力調節ユニット（５）は、遮蔽室（４）の外に配置されている、加圧ガスまたは加圧ガス混合物のための供給源（６）、好ましくは空気供給源に接続されている
請求項１ないし９のいずれかに記載の磁気心拍記録装置。
【請求項１１】
磁気心電計（１）及び／または圧力調節ユニット（５）は、遮蔽室（４）の外に配置されている操作・制御ユニット（７）に接続されている
請求項１０に記載の磁気心拍記録装置。
【請求項１２】
圧力調節ユニット（５）を用いて設定された負荷ユニット（２）の抵抗は、操作・制御ユニット（７）を介して測定可能及び／または調節可能である
請求項１１に記載の磁気心拍記録装置。
【請求項１３】
電子心電図（ＥＫＧ）の並行記録のために遮蔽室（４）の外に配置されているＥＫＧ機が備えられ、該ＥＫＧ機は、遮蔽室（４）に達する、非磁気構成部分からなる、患者に接続可能なＥＫＧ電極プラグ及びアース線を有する
請求項１０ないし１２のいずれかに記載の磁気心拍記録装置。
【発明の詳細な説明】
【技術分野】
【０００１】
本発明は、磁気心拍記録装置及びそのためのエルゴメータに関する。
【背景技術】
【０００２】
磁気心拍動記録法では、心臓の磁気活動が非接触に記録される。人間の心臓に発生する極めて弱い磁場を測定できるようにするために、超伝導性の量子干渉計からなる高感度の検出器、いわゆるＳＱＵＩＤが用いられる。
【０００３】
磁気心拍動記録法を用いて、心疾患、例えば、冠動脈疾患を検出するために、負荷磁気心電図が作成される。その際、心臓の負荷は、通常、薬理学的方法に従って、適切な薬、例えばアデノシンまたはドブタミンの注入を使って発生する。エルゴメータを使った負荷も知られている。
【０００４】
特許文献１により、一例として、弾み車をベースとした、非磁気部品からなる自転車エルゴメータが用いられる磁気心拍記録装置が知られている。さらに、特許文献２により、同様に非磁気自転車エルゴメータではあるがこの場合に液圧をベースとしたものが使用される磁気心拍記録装置が知られている。
【先行技術文献】
【特許文献】
【０００５】
【特許文献１】ＥＰ０３７１１１５６Ａ１
【特許文献２】ＤＥ１０２００６０５６２８２Ａ１
【発明の概要】
【発明が解決しようとする課題】
【０００６】
本発明の課題は、負荷磁気心電図を作成するための、向上した磁気心拍記録装置を提供することである。
【課題を解決するための手段】
【０００７】
上記課題は請求項１の対象物により解決される。目的にかなっている本発明の形態は請求項に挙げられている。
【０００８】
この課題を解決するために、本発明は、負荷磁気心電図の作成のための磁気心拍記録装置を提供し、該磁気心拍記録装置は、磁気心電計と、非磁気構成部分からなる負荷ユニットとを含み、磁気心電計及び負荷ユニットは、外部の磁場を遮蔽するための遮蔽室の中に配置され、負荷ユニットは、遮蔽室の外部に配置されている、加圧ガスまたは加圧ガス混合物のための供給源からの、加圧ガスまたは加圧ガス混合物で制動されている自転車エルゴメータであるかまたは該自転車エルゴメータを含む。
【０００９】
本発明の磁気心拍記録装置は、加圧ガスまたは加圧ガス混合物を用いて好ましくは空気圧式に制動される、非磁気材料からなるエルゴメータをベースとする負荷ユニットを含む。好適に設計されたエルゴメータはさらに以下に説明されている。圧縮ガスブレーキ、例えば空気圧ブレーキの使用の有利な点は、遮蔽室内に関連する構成部分が、比較的問題が無いように、完全に、非磁気材料から製造され得ることであり、例えば、導管は、銅または化学合成物質からなる。場合によって起こり得る液体漏れの問題も回避される。圧縮ガス供給源、例えば加圧空気供給源が遮蔽室の外に配置されているため、感度のよい測定に対するさらなる障害原因が回避される。そのうえ、加圧空気の使用の場合には、負荷ユニットが、病院にしばしば通例である集中加圧空気供給装置に接続され得ることが有利である。
【００１０】
ここで、“エルゴメータ”は、その使用によって人へ一定の肉体的負荷を与えることが可能となる装置と理解される。自転車エルゴメータは、人によりクランクが、例えばペダルを用いて何等かの抵抗に対して例えば円形の回転運動を発動するエルゴメータと理解される。その際、該回転運動は足及び／または手で発生され得る。“非磁気”とは、材料が上記ＳＱＵＩＤによる測定を妨害する磁場を有しないまたはあまり有さず、特に強磁性がないことを意味する。そのような材料の一例は、酸化ジルコニウム（ＺｒＯ２）、窒化ケイ素（ＳｉＮ４）のようなセラミック、ポリオキシメチレン（ＰＯＭ）、ポリテトラフルオロエチレン（ＰＴＦＴ）、またはポリエーテルエーテルケトン（ＰＥＥＫ）のような化学合成物質、または、アルミニウム及び銅のような金属である。“加圧ガス”または“加圧ガス混合物”とは、圧力が加えられている各ガスまたは各ガス混合物と理解される。ここで使われている“圧縮ガス”という概念は、“加圧ガス”と“加圧ガス混合物”との２つの概念の同義語であって両概念を含む。上記ガスは例えば空気、窒素、ヘリウム、酸素または任意のガス混合物、例えばケイ素‐酸素混合物であってもよい。または、圧力及び／または冷却により液化されたガスまたはガス混合物、例えば液体窒素であってもよい。上記ガスは、好ましくは、加圧空気、すなわち圧縮された周囲空気である。その圧力は、例えば５ｂａｒであり、場合によって、より低くてもより高くてもよい。“加圧ガスの供給源”、“加圧ガス混合物の供給源”、または圧縮ガス供給源”という概念は、加圧されているガスが、場合によっては、適合した導管を経由して先へ流される前に、生じているまたは用意されている場所と理解される。これは、例えば、１つまたは複数の圧縮器及び／またはガスボンベであり得る。“磁気心電計”とは、心臓磁場を測定するための器具と理解される。心臓磁場は、心臓細胞の電気的活動または相互作用により、例えば人間の体内で、発生する生体磁場である。心臓磁場は比較的弱く、例えば数十ピコテスラ（１ｐＴ＝１０−１２Ｔ）の範囲内にある。
【００１１】
上記負荷ユニットは、好ましくは、非磁気構成部分からなる患者寝台において備えられているが、別個に備えられていてもよい。
【００１２】
特に好ましくは、磁気心電計及び負荷ユニットは、外部の磁場を遮蔽するための遮蔽室の中に配置され、該負荷ユニットは、好ましくは、非磁気導管を介して、遮蔽室の中に配置されている圧力調節ユニットに接続されている。該圧力調節ユニットは、遮蔽室の外に配置されている、加圧ガスまたは加圧ガス混合物のための供給源、例えば加圧空気供給源に接続されている。加圧空気供給源は、病院の集中加圧空気供給装置であり得る。
【００１３】
好ましくは、上記磁気心電計及び／または上記圧力調節ユニットは、遮蔽室の外に配置されている操作・制御ユニットに接続されている。特に好ましくは、圧力調節ユニットを用いて設定されたまたは設定できる、負荷ユニットの抵抗は、測定可能及び／または調節可能である。このようにして、負荷ユニット、及びそれによって、患者には、予め設定された負荷が与えられ、与えられている負荷は測定することができ、場合によっては、記録され得る。上記操作・制御ユニットは、適切に設定されたパソコンであり得る。
【００１４】
磁気心電図（ＭＧＫ）に並行に電子心電図（ＥＫＧ）を記録することと、そのために遮蔽室の外に配置されているＥＫＧ機を備えることとがさらに好ましく、該ＥＫＧ機は、非磁気構成部分からなる、遮蔽室に達する、患者に接続可能なＥＫＧ電極プラグ及びアース線を有する。
【００１５】
患者監視をより容易にするために、好ましくは、上記遮蔽室の中に、磁気を遮る筐体にある監視カメラが設けられ、その信号はシールドされたケーブルを経由して、遮蔽室から、好ましくは、上記操作・制御ユニットに伝送される。
【００１６】
本発明は、負荷心電図作成のための使用に特に好適であるとともに、本発明の磁気心拍記録装置において負荷ユニットとして有利に用いられ得るエルゴメータをも提供する。本発明のエルゴメータは非磁気材料からなり、フライホイールを含み、該フライホイールは、手または足で作動させることにより変速機を介して少なくとも１：１０の伝動比率で回転させることができる。
【００１７】
好ましくは自転車エルゴメータである上記エルゴメータでは、フライホイールが変速機を介して回転するようになっている。ここで、該変速機は、好ましくは、少なくとも２段式である。上記フライホイールが、少なくとも１：１０の高い伝動比率を有する変速機によって動作することにより、特に一定の操作、且つ、例えば病気がある患者にとって快適な操作が可能となる。例えば心臓病がある人にとっては、ブレーキが推進運動に与える、回転角にわたって大きく変化する抵抗を克服することさえ、しばしば簡単ではなく、それどころか不可能である。高い伝動比率により達成されたフライホイールの比較的高い回転数のため、しばしば、より低い非磁気材料密度の場合にも、同じ建築スペースで、より高いエネルギー蓄積機能が達成され得る。さらにまた、高いエネルギー蓄積機能は、一定の漕ぎ運動の実現を可能にする。本発明は、エルゴメータが制動されていても、駆動機、例えばクランク駆動機、の死点を容易に超え得るようになるように、エルゴメータのエネルギー蓄積機能をさらに高めることを可能にする。したがって、例えば負荷が掛かっている状態で磁気心電図を作成するために、患者に適度に、且つ、目的にかなった負荷を与えることを可能にする。
【００１８】
上記伝動比率は、好ましくは１：１０から１：２０まで、さらに好ましくは１：１０から１：１８まで、さらに好ましくは、１：１０から１：１５まで、特に好ましくは１：１０から１：１３まで、例えば略１：１２である。上記範囲内の中間値、例えば１：１１、１：１２．２５及びその他の比率もここに明確に開示されている。
【００１９】
好ましい一実施形態では、上記エルゴメータが、さらに、フライホイールの回転を制動するための、加圧ガスまたは加圧ガス混合物で作動させ得る制動ユニットを含む。ここで、制動ユニットの制動力は、好ましくは、加圧ガスまたは加圧ガス混合物で調節され得る。上記加圧ガスまたは加圧ガス混合物は、加圧空気、窒素、酸素、ヘリウム、酸素またはそれらの混合物であり得る。特に好ましくは、制動ユニットの制動力を空気圧にて設定するにあたり、加圧空気を用いて行うことである。圧縮ガスブレーキ、例えば空気圧ブレーキの使用の有利な点は、遮蔽室内の関連する構成部分、例えば導管が、非磁気材料、例えば、銅または化学合成物質から製造され得ることである。そのうえ、例えば加圧空気の使用の場合に、エルゴメータが病院にしばしば通例である集中加圧空気供給装置に接続され得ることは有利である。定義された制動モーメントを患者の負荷のために設定できるようにするためには、適した制御装置で無段階に調節可能な、制動ユニットの制動力が有利である。
【００２０】
上記制動ユニットは、好ましくは、ピストンが中に可動に備えられている空気圧シリンダであり、そのピストンは、例えば、制動ユニットに発生する制動力が空気圧力を使って調節可能となるように、例えばブレーキディスクに好ましくは力結合されて係合させることが可能である。制動ユニットの制動力は、好ましくは、圧力制御部で設定される。該圧力制御部を用いて、定義された、且つ、好ましくは継続的に変更可能な制動効果が設定され得る。
【００２１】
上記エルゴメータの好ましい一実施形態では、エルゴメータが、４つの軸からなる２段式の変速機を含み、ここで、２つの軸は中空軸として形成されていて、それぞれその他の、好ましくはソリッド軸として形成されている２つの軸の１つに同軸に配置されている。自転車エルゴメータとした形態では、好ましくは、とりわけソリッド軸として形成されている第１軸にペダルアームが取り付けられ、該ペダルアームにて第１軸は漕ぎ運動で回転させることが可能である。第１変速機段を介して、回転運動が、第１軸から、同様に好ましくはソリッド軸として形成されている第２軸に伝達されるとともに、回転数が変化する。第２変速機段を介して、回転運動が、中空軸として形成されている第３軸から、同等に中空軸として形成されている第４軸に伝達され、回転数が変化する。第４軸にフライホイールが形状結合または力結合されている。この実施形態では、本発明のエルゴメータはとりわけコンパクトであり、これにより、例えば寝台に、より容易に組み入れられ得る。
【００２２】
特に好ましい実施形態では、第１変速機段と第２変速機段との間に自由回転連結部が配置されている。このために、例えば、該自由回転連結部は、第２軸と、第２軸に担持されている中空軸との間に配置され得る。自転車エルゴメータの場合は、エルゴメータを使用する人がかなりゆっくり漕ぐときまたは漕ぐのをやめたときに、漕ぎクランクまたはペダルアームのさらなる回転を防ぐためには、自由回転連結部が統合されていることが特に有利である。このことは、特に老いた及び／または弱い人の場合に安全のために有利である。
【００２３】
上記変速機は、例えば、歯車変速機またはベルト変速機であってもよい。好ましい一実施形態ではベルト変速機である。ベルト変速機の場合、好ましくは第１軸上に第１ベルト車、第２軸上に第２ベルト車、第３軸上に第３ベルト車、第４軸上に第４ベルト車が配置されていて、ここで、第１ベルト車と第２ベルト車と、及び、第３ベルト車と第４ベルト車とは、それぞれベルトで接続されている。
【００２４】
上記エルゴメータの好ましい一実施形態では、中空軸として形成されている第４軸にブレーキディスクが形結合または力結合されていて、該ブレーキディスクは、制動ユニットの空気圧シリンダに係合させることが可能である。このようにして、フライホイールの回転を効果的に制動することが可能になる。空気圧シリンダのブレーキディスク及び／またはピストンは、適したブレーキライニングを有する。
【００２５】
以下に、本発明は、具体的に説明するために添付図面を用いてより詳しく説明される。
【図面の簡単な説明】
【００２６】
【図１】本発明の磁気心拍記録装置の模式図
【図２】本発明のエルゴメータの概略図
【図３】本発明のエルゴメータの実施形態の（Ａ）正面図及び（Ｂ）背面図
【図４】図３によるエルゴメータの等角投影図
【発明を実施するための形態】
【００２７】
図１は本発明の磁気心拍記録装置を示す。
患者寝台３の上方にある磁気心電計１が示され、患者寝台３には、人の足の側において、自転車エルゴメータとして形成されている負荷ユニット２が設けられている。磁気心電計１と、負荷ユニット２が付いている患者寝台３とは、内部が外部の電磁波障害から遮蔽されている遮蔽室４の中にある。
【００２８】
患者寝台３及び負荷ユニット２は、完全に、非強磁性材料、例えばアルミニウム及び適合する化学合成物質から製造されている。磁気心電計１またはそのセンサーユニットは、適した供給配線及び信号配線１０を介して、遮蔽室４の外にある操作・制御ユニット７に接続されている。
【００２９】
負荷磁気心電図を記録するために、自転車エルゴメータ２は、患者寝台３の長手方向に移動できるように、患者寝台３の、人の足の側に配置されている。自転車エルゴメータ２は、筐体１１の中に回転可能に軸支されている、ペダル１３が付いているペダルアーム１２を含む。筐体１１には、圧力調節ユニット５に接続されている、加圧空気のための導管８が備えられている。さらなる導管１５が、遮蔽室４の外にある加圧空気供給源６に接続されている。加圧空気の代わりに、例えば液化されたガス、例えば液化された窒素ガスが、圧力容器内に用意されていてもよい。室温で、対応する圧力にまで高められる。その場合には、圧力調節ユニット５が圧力容器に取り付けられていてもよく、また、導管８が圧力調節ユニット５に直接接続されていてもよい。
【００３０】
自転車エルゴメータ２及び導管８の、遮蔽室４の中に配置されているすべての部分が、非強磁性材料から製造されている。
【００３１】
患者寝台３の上に休んでいる患者（図１に示されていない）を監視するために、磁気に対して遮蔽された筐体に収容された監視カメラ９が遮蔽室４の中に据え付けられている。カメラの映像は、遮蔽室４から外まで出るように取り付けられた信号配線１４を経由して、操作・制御ユニット７へ、または個別のモニタ（示されていない）に送られる。
【００３２】
すべての供給配線または信号配線は、対応する貫通部１６、１７、１８を通って遮蔽室４の中まで取り付けられている。
【００３３】
図２は、図１に有利に示されている磁気心拍記録装置において負荷ユニット２として使用可能な、本発明のエルゴメータの一実施形態を模式的に示す。
エルゴメータ２は自転車エルゴメータとして形成され、その大部分がポリオキシメチレン（ＰＯＭ）及び１つまたは複数の他の非強磁性の化学合成物質／金属／セラミックスから製造される。筐体１１の中には、例えばＰＯＭまたはアルミニウムから製造されて、２段式の変速機３８を介して回転させることが可能であるフライホイール１９が配置されている。そのために、軸受２３、２４と、軸受３４、３５とを用いて、２つの互いに平行に配置されている軸２５及び３７が、回転可能に筐体１１の中に支持されている。ここでは、ソリッド軸として形成されている第１軸２５が、筐体１１の開口部を通って外まで配置されている。そこには、ペダル１３が付いたペダルアーム１２が軸２５に取り付けられている。ペダルアーム１２及びペダル１３を用いて軸２５を回転させることが可能である。筐体１１の中には、軸２５上に、軸２５で回転するベルト車２６が固定されている。軸２５上にあるベルト車２６に、同様にソリッド軸として形成されている第２軸３７上のベルト車２７が組み込まれている。ベルト車２６、２７の外周面にわたって付けられた、ここでは示されていないベルトを介して、第１軸２５の回転時に、第２軸３７も回転させられる。ベルト車２６の直径はベルト車２７より大きく、その結果、これに相当する第１伝動比率が生じる。軸３７の外周上には、軸３７に同軸に、中空軸として形成されている第３軸３６が軸受３９、４０により回転可能に支持され、第３軸３６の中に自由回転連結部３３が配置されている。中空軸３６上には、ベルト車２８が固定されている。意図通りの回転方向の場合には、中空軸３６及びベルト車２８が軸３７とともに回転し、逆回転方向の場合または軸３７が中空軸３６に比べてより遅く回転する場合には、軸３７に対する中空軸３６の連結が解かれるように、自由回転連結部３３が設定されている。ベルト車２８には、同様に中空軸として形成されている第４軸３２上に取り付けられているベルト車２９が組み込まれ、第４軸３２は、軸受３０、３１にて軸２５上に支持されている。ベルト車２８、２９の外周面の周りに付けられた、図２に示されていないベルトが、中空軸３６の回転運動を中空軸３２に伝達する。ここでは、ベルト車２８の直径がベルト車２９より大きく、その結果、これに相当する第２伝動比率が生じる。ベルト車２６、２７、２８及び２９の直径同士の比率により、それぞれの伝動比率が設定され、それぞれの需要に合わせることができる。全体では、第１軸２５と第４軸３２と間に、少なくとも１：１０、例えば１２．２５の伝動比率が発生する。中空軸３２には、例えば円盤状のフライホイール１９が固定され、該フライホイール１９は、中空軸３２とともに回転する。中空軸３２には、ブレーキディスク２１も固定され、該ブレーキディスク２１は、ブレーキディスク２１と空気圧シリンダ２２との摩擦が中空軸３２の回転運動、及びそれによってフライホイール１９に、適度な抵抗を与えるように、空気圧シリンダ２２に係合させられることが可能である。空気圧シリンダ２２がブレーキディスク２１に掛ける接触圧力、及びそれによってフライホイール１９の回転運動に対する抵抗は、圧力調節ユニット５で好ましくは無段階に調節され得る。
【００３４】
例えば患者が前方を向いた漕ぎ運動をすることによりエルゴメータ２が正しい方向に動かされている場合には、それによって、ペダルアーム１２を介して、まず、軸２５及び軸２５上にあるベルト車２６が回転させられる。この回転運動は、ベルト車２６とベルト車２７との間のベルトを介して、第１伝動比率で、筐体１１の中に回転可能に収容されている、軸２５に平行な軸３７に伝達される。自由回転連結部３３は、中空軸３６が軸３７とともに回転するように、中空軸３６を軸３７に係合させる。これにより同様に回転させられたベルト車２８は、ベルト車２８をベルト車２９に接続するベルトを介して、回転運動を、第２伝動比率で、回転可能に軸２５に支持されている中空軸３２に伝達する。これにより、中空軸３２上に配置されているフライホイール１９が回転させられる。例えば患者がより遅く漕ぐことまたは漕ぎ運動を完全に止めることにより、軸２５、及びそれによって軸３７の回転運動が遅くなるまたは完全に止まる場合には、ブレーキディスク２１に作用する空気圧シリンダ２２によりフライホイール１９が制動されないまたは停止されない限り、ペダルアーム１２が回転を続けないにもかかわらずフライホイール１９が軸２５の周りの回転運動を続けることになるように、第１伝動段と第２伝動段との間に配置されている自由回転連結部３３によって配慮されている。
【００３５】
図３及び図４は、本発明のエルゴメータの一実施形態の図面を示す。図３Ａは正面図を示し、図３Ｂは背面図を示し、図４は等角投影図を示し、それぞれの図面では、筐体１１の一部分が除去されている。
各エルゴメータ構成部分の機能及び相互作用の説明に関しては、反復を回避するために、図２が参照される。図３及び図４では、加えて明らかなことは、ベルト車２６、２７、２８、２９が、好ましくは、歯付ベルト車として形成されていることである。さらに明らかなことは、フライホイール１９が円盤状に形成されていることである。上記エルゴメータでは、個々の構成部分の配置が非常にコンパクトなものとなっている。
【符号の説明】
【００３６】
１  磁気心電計
２  負荷ユニット
３  患者寝台
４  遮蔽室
５  圧力調節ユニット
６  加圧ガスまたは加圧ガス混合物のための供給源
７  操作・制御ユニット
８  導管
９  監視カメラ
１０  供給配線及び信号配線
１１  筐体
１２  ペダルアーム
１３  ペダル
１４  信号配線
１５  導管
１６  貫通部
１７  貫通部
１８  貫通部
１９  フライホイール
２０  制動ユニット
２１  ブレーキディスク
２２  空気圧シリンダ
２３  軸受
２４  軸受
２５  軸
２６  ベルト車
２７  ベルト車
２８  ベルト車
２９  ベルト車
３０  軸受
３１  軸受
３２  軸
３３  自由回転連結部
３４  軸受
３５  軸受
３６  軸
３７  軸
３８  変速機
３９  軸受
４０  軸受
【図１】
2015502223.tif 000003
【図２】
2015502223.tif 000004
【図３】
2015502223.tif 000005
【図４】
2015502223.tif 000006
【国際調査報告】
2015502223.tif 000007
2015502223.tif 000008
2015502223.tif 000009
2015502223.tif 000010
2015502223.tif 000011
2015502223.tif 000012